(57)【要約】【課題】天井扇風機の本体を吊り下げるパイプ体の連結部分で、異常な磨耗を抑制する。【解決手段】天井扇風機は、複数の羽根と上部取付パイプ部とを有する本体と、天井に固定される吊り下げ体と、吊り下げ体に吊り下げられ上部取付パイプ部にて本体を吊り下げる第１のパイプ体と、第１のパイプ体の下部内部に収納され上部取付パイプ部の上部が挿入される第２のパイプ体とを備え、第１のパイプ体、第２のパイプ体、および上部取付パイプ部が重なる部分が連結ボルトにより連結され、第２のパイプ体の外周面より突出する中空突出部を、第１のパイプ体の下部開口縁の凹部と、上部取付パイプ部の外周面の突起部とに係合させることにより、第１のパイプ体、第２のパイプ体、および上部取付パイプ部の間において、少なくとも羽根の回転方向への相対的な移動を規制する。【選択図】図３
2015190422.tif 000002
【特許請求の範囲】
【請求項１】
回転中心回りに回動される複数の羽根と、回転中心を中心軸として上方へ延びる上部取付パイプ部とを有する本体と、
天井に固定される吊り下げ体と、
羽根の回転中心を中心軸として吊り下げ体に吊り下げられるとともに、上部取付パイプ部にて本体を吊り下げる第１のパイプ体と、
第１のパイプ体の下部内部に収納されるとともに上部取付パイプ部の上部が挿入される第２のパイプ体とを備え、
第１のパイプ体、第２のパイプ体、および上部取付パイプ部が重なる部分を、中心軸に対して交差する方向に貫通する連結ボルトおよび連結ボルトに螺合するナットにより、第１のパイプ体、第２のパイプ体、および上部取付パイプ部が連結され、
第２のパイプ体は、中心軸と交差する方向に外周面より突出する円筒状もしくは部分円筒状の中空突出部を有し、
第１のパイプ体の下部開口縁には、第２のパイプ体の中空突出部の外周面に当接または近接する凹部が設けられ、
上部取付パイプ部の外周面には、第２のパイプ体の中空突出部の内周面に当接または近接する突起部が設けられ、
第２のパイプ体の中空突出部により、第１のパイプ体、第２のパイプ体、および上部取付パイプ部の間において、少なくとも羽根の回転方向への相対的な移動が規制されている、天井扇風機。
【請求項２】
第１のパイプ体には、凹部より上方に延びた第１のスロットが設けられている、請求項１に記載の天井扇風機。
【請求項３】
第２のパイプ体には、中空突出部の上部から上方に延びるとともに、第１のパイプ体の第１のスロットの内側に位置する上方突出部がさらに設けられ、
第２のパイプ体の上方突出部により、第１のパイプ体と第２のパイプ体との間において、少なくとも羽根の回転方向への相対的な移動が規制されている、請求項２に記載の天井扇風機。
【請求項４】
第２のパイプ体には、外周面から外方へ突出したリブが設けられ、リブの先端が第１のパイプ体の内周面に接し、第２のパイプ体の材質はナイロンである、請求項１から３のいずれか１つに記載の天井扇風機。
【請求項５】
第１のパイプ体の凹部は、連結ボルトより下方の高さ位置に位置する請求項１から４のいずれか１つに記載の天井扇風機。
【請求項６】
第１のパイプ体と第２のパイプ体との隙間は、第２のパイプ体と上部取付パイプ部との隙間より小さい、請求項１から５のいずれか１つに記載の天井扇風機。
【請求項７】
中空突出部の突出方向において、第２のパイプ体の中空突出部の内周面と上部取付パイプ部の突起部との接触長さは、中空突出部の外周面と第１のパイプ体の凹部との接触長さより大きい、請求項１から６のいずれか１つに記載の天井扇風機。
【請求項８】
突起部は、第２のパイプ体の外周面に取り付けられたボルトであり、ボルトの外周面が第２のパイプ体の中空突出部の内周面に当接または近接している、請求項１から７のいずれか１つに記載の天井扇風機。
【発明の詳細な説明】
【技術分野】
【０００１】
本発明は、天井から吊下げられた天井扇風機に関する。
【背景技術】
【０００２】
従来の天井扇風機としては、天井に固定される吊り下げ体と、吊り下げ体に吊り下げられる円筒形状のパイプ体と、回動される複数の羽根を有し、パイプ体に吊り下げられる本体とを備えるものが知られている（例えば、特許文献１参照）。パイプ体は、吊り下げ体に吊り下げられる円筒形状の第１のパイプ体と、第１のパイプ体の下部内部に収納された第２のパイプ体と、本体より上方に延びるとともに第２のパイプ体内に挿入される上部取付パイプ部とにより構成される。第１のパイプ体内に第２のパイプ体と本体の上部取付パイプ部とを挿入した状態で、第１のパイプ体、第２のパイプ体、および上部取付パイプ部が重なる部分を貫通する連結ボルトおよびナットにより、それぞれのパイプ体が連結されている。
【先行技術文献】
【特許文献】
【０００３】
【特許文献１】特開２００９−２０９７５３号公報
【発明の概要】
【発明が解決しようとする課題】
【０００４】
このような従来の天井扇風機では、パイプ体の連結部分で、異常な磨耗が発生するという課題がある。
【０００５】
すなわち、天井扇風機において、複数の羽根を備える本体は、施工現場において取り付けられるので、施工現場によっては、取り付け時や清掃時など外的負荷により羽根に力が加わることで羽根が変形し、羽根がアンバランスな状態になる場合がある。この状態で、天井扇風機を運転すると、本体に大きな揺動を発生させようとする力が生じる場合がある。パイプ体の連結部分、すなわち、第１のパイプ体、第２のパイプ体、および上部取付パイプ部が重なる部分では、連結ボルトを貫通させる貫通孔が設けられている。しかしながら、複数の貫通孔（この場合６個の貫通孔）に一本の連結ボルトを貫通させる構成が採用されているため、連結ボルトの貫通作業性を考慮して、連結ボルトとそれぞれの貫通孔との間には隙間が必要となる。そのため、本体に大きな揺動を発生させようとする力が生じるような場合には、第１のパイプ体と第２のパイプ体と上部取付パイプ部との連結部分では、羽根の回転方向にがたつきが生じやすい。このようながたつきが大きい場合には、本体が大きく揺動し、部材間の相対的な移動が生じて、連結部分での異常な磨耗が起こり、本体の落下に繋がる場合がある。
【０００６】
そこで本発明は、天井扇風機の本体を吊り下げるパイプ体の連結部分にて、異常な磨耗が生じることを抑制することを目的とするものである。
【課題を解決するための手段】
【０００７】
そして、この目的を達成するために、本発明の一の態様にかかる天井扇風機は、回転中心回りに回動される複数の羽根と、回転中心を中心軸として上方へ延びる上部取付パイプ部とを有する本体と、天井に固定される吊り下げ体と、羽根の回転中心を中心軸として吊り下げ体に吊り下げられるとともに、上部取付パイプ部にて本体を吊り下げる第１のパイプ体と、第１のパイプ体の下部内部に収納されるとともに上部取付パイプ部の上部が挿入される第２のパイプ体とを備え、第１のパイプ体、第２のパイプ体、および上部取付パイプ部が重なる部分を、中心軸に対して交差する方向に貫通する連結ボルトおよび連結ボルトに螺合するナットにより、第１のパイプ体、第２のパイプ体、および上部取付パイプ部が連結され、第２のパイプ体は、中心軸と交差する方向に外周面より突出する円筒状もしくは部分円筒状の中空突出部を有し、第１のパイプ体の下部開口縁には、第２のパイプ体の中空突出部の外周面に当接または近接する凹部が設けられ、上部取付パイプ部の外周面には、第２のパイプ体の中空突出部の内周面に当接または近接する突起部が設けられ、第２のパイプ体の中空突出部により、第１のパイプ体、第２のパイプ体、および上部取付パイプ部の間において、少なくとも羽根の回転方向への相対的な移動が規制されているものである。
【発明の効果】
【０００８】
本発明によれば、天井扇風機の本体を吊り下げるパイプ体の連結部分にて、異常な磨耗が生じることを抑制できる。
【図面の簡単な説明】
【０００９】
【図１】本発明の実施の形態１の天井扇風機を示す概要を示す全体図
【図２】実施の形態１の天井扇風機の拡大図
【図３】実施の形態１の天井扇風機の分解図
【図４】実施の形態１の天井扇風機の第１のボルトの拡大図
【図５】本発明の実施の形態２の天井扇風機の拡大図
【図６】実施の形態２の天井扇風機の分解図
【図７】本発明の実施の形態３の天井扇風機の拡大図
【図８】実施の形態３の天井扇風機の分解図
【図９】本発明の実施の形態４の天井扇風機の拡大図
【図１０】実施の形態４の天井扇風機の分解図
【発明を実施するための形態】
【００１０】
第１の発明の天井扇風機は、回転中心回りに回動される複数の羽根と、回転中心を中心軸として上方へ延びる上部取付パイプ部とを有する本体と、天井に固定される吊り下げ体と、羽根の回転中心を中心軸として吊り下げ体に吊り下げられるとともに、上部取付パイプ部にて本体を吊り下げる第１のパイプ体と、第１のパイプ体の下部内部に収納されるとともに上部取付パイプ部の上部が挿入される第２のパイプ体とを備え、第１のパイプ体、第２のパイプ体、および上部取付パイプ部が重なる部分を、中心軸に対して交差する方向に貫通する連結ボルトおよび連結ボルトに螺合するナットにより、第１のパイプ体、第２のパイプ体、および上部取付パイプ部が連結され、第２のパイプ体は、中心軸と交差する方向に外周面より突出する円筒状もしくは部分円筒状の中空突出部を有し、第１のパイプ体の下部開口縁には、第２のパイプ体の中空突出部の外周面に当接または近接する凹部が設けられ、上部取付パイプ部の外周面には、第２のパイプ体の中空突出部の内周面に当接または近接する突起部が設けられ、第２のパイプ体の中空突出部により、第１のパイプ体、第２のパイプ体、および上部取付パイプ部の間において、少なくとも羽根の回転方向への相対的な移動が規制されている、ものである。
【００１１】
第２の発明は、第１の発明の天井扇風機において、第１のパイプ体には、凹部より上方に延びた第１のスロットが設けられている、ものである。
【００１２】
第３の発明は、第２の発明の天井扇風機において、第２のパイプ体には、中空突出部の上部から上方に延びるとともに、第１のパイプ体の第１のスロットの内側に位置する上方突出部がさらに設けられ、第２のパイプ体の上方突出部により、第１のパイプ体と第２のパイプ体との間において、少なくとも羽根の回転方向への相対的な移動が規制されている、ものである。
【００１３】
第４の発明は、第１から第３のいずれかの発明の天井扇風機において、第２のパイプ体には、外周面から外方へ突出したリブが設けられ、リブの先端が第１のパイプ体の内周面に接し、第２のパイプ体の材質はナイロンとしたものである。
【００１４】
第５の発明は、第１から第４のいずれかの発明の天井扇風機において、第１のパイプ体の凹部は、連結ボルトより下方の高さ位置に位置する、ものである。
【００１５】
第６の発明は、第１から第５のいずれかの発明の天井扇風機において、第１のパイプ体と第２のパイプ体との隙間は、第２のパイプ体と上部取付パイプ部との隙間より小さい、ものである。
【００１６】
第７の発明は、第１から第６のいずれかの発明の天井扇風機において、中空突出部の突出方向において、第２のパイプ体の中空突出部の内周面と上部取付パイプ部の突起部との接触長さは、中空突出部の外周面と第１のパイプ体の凹部との接触長さより大きい、ものである。
【００１７】
第８の発明は、第１から第７のいずれかの発明の天井扇風機において、突起部は、第２のパイプ体の外周面に取り付けられたボルトであり、ボルトの外周面が第２のパイプ体の中空突出部の内周面に当接または近接している、ものである。
【００１８】
以下、本発明の実施の形態について、図面を参照しながら説明する。なお、この実施の形態によって本発明が限定されるものではない。
【００１９】
（実施の形態１）
図１は、本発明の実施の形態１の天井扇風機の概要を示す全体図である。図２は、実施の形態１の天井扇風機の拡大図である。図１、図２に示すように天井扇風機は、天井１に固定された吊り下げ体２と、吊り下げ体２に吊下げられる第１のパイプ体３と、第１のパイプ体３に吊り下げられる本体４とを備えている。本体４の周部には、水平方向へ延びた複数の羽根５が備えられている。本体４内のモーター（図示せず）を回転させることにより、それぞれの羽根５が回転中心回りに回動される。本体４の上部には、上方へ延びる上部取付パイプ部６を備えている。
【００２０】
図３は、実施の形態１の天井扇風機の分解図である。図４は、実施の形態１の天井扇風機のボルト８の拡大図である。図２、３、４に示すように第１のパイプ体３の下部内部には、第２のパイプ体７の上部が収納（挿入）され、この第２のパイプ体７の内部には、上部取付パイプ部６が挿入される。この状態で、ボルト８、連結ボルト９、およびナット１０によって、第１のパイプ体３、第２のパイプ体７、および上部取付パイプ部６が連結される。
【００２１】
第１のパイプ体３において、少なくとも第２のパイプ体７が収納される下方部分は、その中心軸方向を上下方向とする円筒であり、例えば材質は金属である。第１のパイプ体３の表面および端部は、塗料によって塗装されている。第１のパイプ体３の上部には、図１に示すように、天井１に固定された吊り下げ体２に吊下げられる吊下げ部１１を備えている。第１のパイプ体３の下部外周面には、水平方向に貫通した円形孔である第１のパイプ孔１２（すなわち、一対の第１のパイプ孔１２）が設けられている。第１のパイプ体３の下部開口縁には、略半円形状の切り欠きである凹部１３が設けられている。
【００２２】
第２のパイプ体７は、その中心軸方向を上下方向として、上部が塞がった円筒である。第２のパイプ体７の材質は樹脂であり、例えば、ポリプロピレンやナイロンを用いてもよい。第２のパイプ体７の上部外周面には、水平方向に貫通した略長円形状の孔である第２のパイプ孔１４（すなわち、一対の第２のパイプ孔１４）が設けられている。第２のパイプ体７の下部外周面には、第２のパイプ体７の中心軸と交差する方向として例えば水平方向外向きに外周面より突出する円筒状の中空突出部１６が設けられている。第２のパイプ体７の外周面には開口１５が設けられており、中空突出部１６の内孔がこの開口１５に連通している。すなわち、第２のパイプ体７の外周面に設けられた開口１５の周縁より突出するように円筒状の中空突出部１６が形成されている。第２のパイプ体７における中空突出部１６の円筒状の外周面には、第１のパイプ体３の下部開口縁の凹部１３の内周部分が嵌まって、互いに当接する。なお、本実施の形態１では、第２のパイプ体７の中心軸と、中空突出部１６の中心軸とは互いに直交しており、また、水平方向に貫通した第２のパイプ孔１４の中心軸方向（貫通方向）と、中空突出部１６の中心軸方向とは、上方向から見て直交している。
【００２３】
上部取付パイプ部６は、本体４の上部から上方へ伸びる円筒で、例えば、上部取付パイプ部６の中心軸は複数の羽根５の回転中心と一致している。上部取付パイプ部６の材質は例えば金属である。上部取付パイプ部６の上部外周面には、水平方向に貫通した円形孔の上部取付パイプ孔１７（一対の上部取付パイプ孔１７）が設けられている。上部取付パイプ部６の外周面において、上部取付パイプ孔１７よりも下方の高さ位置には、ボルト８を固定できる上部取付パイプねじ孔１８が設けられている。なお、本実施の形態１では、水平方向に貫通した上部取付パイプ孔１７の中心軸方向（貫通方向）と、上部取付パイプねじ孔１８の中心軸方向とは、上方から見て直交している。
【００２４】
ボルト８は、例えば段付ネジである。段付ネジは、工具で回すための溝部分を備えた頭部１９と、この頭部１９から延びた円柱部２０と、円柱部２０の先端に設けたねじ部２１とにより構成される。円柱部２０の外径は、ねじ部２１におけるねじの呼び径より大きく、円柱部２０の外周面にはねじ溝が形成されていない。
【００２５】
ここで、第１のパイプ体３、第２のパイプ体７、および上部取付パイプ部６を、ボルト８、連結ボルト９、およびナット１０によって連結し、組み立てる手順について説明する。
【００２６】
まず、第２のパイプ体７内に下方側より上部取付パイプ部６を挿入する。そして、第２のパイプ体７の中空突出部１６および開口１５の内部にボルト８を挿入し、上部取付パイプねじ孔１８にボルト８のねじ部２１を固定する。これにより、ボルト８の円柱部２０の外周面は、第２のパイプ体７の中空突出部１６の内周面に当接する。なお、本実施の形態１では、ボルト８が、上部取付パイプ部６の外周面に設けられた突起部の一例となっている。
【００２７】
次に、上部取付パイプ部６に第２のパイプ体７を挿入した状態で、下方側より第１のパイプ体３の内部に第２のパイプ体７を挿入する。このとき、第１のパイプ体３の凹部１３が、第２のパイプ体７の中空突出部１６に嵌るように挿入すると、第１のパイプ孔１２、第２のパイプ孔１４と、上部取付パイプ孔１７とが水平方向に連通する。すなわち、第１のパイプ体３、第２のパイプ体７、および上部取付パイプ部６が重なる部分を、それぞれの中心軸に対して交差する方向である直交方向に貫通するように、それぞれの孔が連通する。この連通したそれぞれの孔に連結ボルト９を挿入し、連結ボルト９における第１のパイプ体３の外周面からの突出部にナット１０を装着する。これにより、第１のパイプ体３の凹部１３の内周部分は、第２のパイプ体７の中空突出部１６の外周面に当接する。
【００２８】
本実施の形態１における１つの特徴は、第１のパイプ体３の凹部１３の内側部分に、第２のパイプ体７の中空突出部１６の外周面が当接し、更に、この中空突出部１６の内周面には、上部取付パイプ部６に固定されたボルト８の外周面が当接する点である。このような特徴により、第２のパイプ体７の中空突出部１６により、第１のパイプ体３、第２のパイプ体７、および上部取付パイプ部６の間において、少なくとも羽根５の回転方向へのパイプ部材間の相対的な移動を規制することができる。
【００２９】
天井扇風機が天井１に設置される施工現場によっては、取り付け時や清掃時など外的負荷により羽根５に力が加わることで羽根５が変形し、羽根５がアンバランスな状態になる場合がある。このように羽根５がアンバランスな状態となると、運転時に天井扇風機本体４に大きな揺動が発生する可能性がある。しかしながら、本実施の形態１の天井扇風機では、連結ボルト９とナット１０とによって互いに連結された第１のパイプ体３、第２のパイプ体７、および上部取付パイプ部６が、さらに中空突出部１６によっても少なくとも回転方向への相対移動が規制されている。そのため、天井扇風機本体４を揺動させようとするような力が生じた場合であっても、パイプ部材間の相対的な移動を抑制して、がたつきを小さくでき、連結部分での異常な磨耗を抑制できる。
【００３０】
また、凹部１３の内側部分に中空突出部１６の外周面が当接し、中空突出部１６の内周面にボルト８の外周面が当接するような構成では、羽根５の回転方向に加えて、例えば上下方向（鉛直方向）にも、パイプ部材間の相対的な移動を規制することができる。よって、パイプ部材間の連結状態を強固にすることができる。
【００３１】
なお、本実施の形態１では、凹部１３と中空突出部１６の外周面、および中空突出部１６の内周面とボルト８の外周面が、互いに当接している場合を例として説明している。しかしながら、本実施の形態１は、このように当接している場合のみに限定されない。例えば、第１のパイプ体３の凹部１３の内側部分に、第２のパイプ体７の中空突出部１６の外周面が近接し、更に、この中空突出部１６の内周面には、上部取付パイプ部６に固定されたボルト８の外周面が近接しているような場合であってもよい。ここで近接とは、嵌りあう部品と部品との間に、組み立て時に必要なわずかなクリアランスを有する場合である。羽根５がアンバランスな状態となって、運転時に天井扇風機本体４に大きな揺動を生じさせるような力が発生した場合に、近接していた状態の部材間が互いに接触することで、部材間のがたつきを小さくできる程度のクリアランスを有する場合が、近接である。すなわち、嵌りあう部品と部品との間に組み立て時に必要なわずかなクリアランスを有するような場合であっても、天井扇風機本体の連結部分で、異常な磨耗を抑制できる程度にがたつきを抑制できるような大きさのクリアランスである場合は、近接である。なお、それぞれの部材間において、互いに当接しているものと近接しているものとが混在しているような場合であってもよい。
【００３２】
また、第２のパイプ体７に上部取付パイプ部６を挿入し、中空突出部１６および開口１５にボルト８を挿入して上部取付パイプ孔１８に固定することで、第２のパイプ体７が上部取付パイプ部６から抜けないように固定することができる。これにより、第２のパイプ体７を上部取付パイプ部６にボルト８によって固定し、第２のパイプ体７と上部取付パイプ部６とボルト８とを一体に組み立てた状態で包装ケースに梱包できるので、第２のパイプ体７を現場で付け忘れることを防止できる。
【００３３】
また、第１のパイプ体３の凹部１３は、連結ボルト９より下方の高さ位置に位置している。すなわち、第１のパイプ体３において、第１のパイプ孔１２の形成高さ位置は、下部開口縁に形成される凹部１３よりも上方に配置され、両者を互いに離間するような配置関係が採用されている。このような配置関係により、第１のパイプ体３における第１のパイプ孔１２および凹部１３の強度低下を抑制できる。
【００３４】
仮に、第１のパイプ体３の凹部１３が、連結ボルト９より上方の高さ位置にまで延びるように設けた場合には、凹部１３の切り欠き部分が、第１のパイプ体３の下部開口縁から第１のパイプ孔１２よりも上方の高さ位置にまで延びるものとなる。このような場合にあっては、第１のパイプ孔１２と凹部１３の切り欠き部分との距離が、本実施の形態１の構成における距離よりも短くなり、第１のパイプ体３における第１のパイプ孔１２および凹部１３の強度が低下する。すなわち、第１のパイプ体３の凹部１３は、連結ボルト９よりも下方の高さ位置に設けることにより、第１のパイプ体３における第１のパイプ孔１２および凹部１３の強度低下を抑制できる。
【００３５】
また、それぞれのパイプ部材が連結された状態にて、第１のパイプ体３の内周面と第２のパイプ体７の外周面との間の隙間は、第２のパイプ体７の内周面と上部取付パイプ部６の外周面との間の隙間より小さくしてもよい。
【００３６】
これにより、第１のパイプ体３と上部取付パイプ部６とが、連結ボルト９を回動中心としてそれぞれが異なる方向に回動（揺動）しようとする場合であっても、第２のパイプ体７は、第１のパイプ体３と一体となって回動（揺動）しようとすることになる。すなわち、仮に中空突出部１６の内周面と上部取付パイプ部６のボルト８の外周面とが摺動するような場合であっても、第１のパイプ体３の凹部１３の内側部分と、第２のパイプ体７の中空突出部１６の外周面とは、互いに当接して、摺動することを抑制できる。結果として、第１のパイプ体３の凹部１３と第２のパイプ体７の中空突出部１６との磨耗を抑制できる。なお、この隙間とは、嵌りあう部品と部品との間に設けられる、組み立て時に必要なわずかなクリアランスのことである。このような隙間を設けることにより、組み立て性を良好なものにできる。
【００３７】
また、ボルト９の外周面（円柱部２０の外周面）と第２のパイプ体７の中空突出部１６の内周面との接触面積（互いに近接している場合は当接可能面積）は、第１のパイプ体３の凹部１３の内側部分と第２のパイプ体７の中空突出部１６の外周面との接触面積より大きくしてもよい。具体的には、第２のパイプ体７の外周面から外方へ突出した円筒である中空突出部１６が、第１のパイプ体３と第２のパイプ体７とが連結された状態にて、第１のパイプ体３の外周面より更に突出している。これにより、中空突出部１６の内周面とボルト８の外周面とにおける突出方向の接触長さを大きくすることができる。つまり、ボルト８の外周面と第２のパイプ体７の中空突出部１６とによる、中空突出部１６における円筒の中心軸方向の接触寸法は、第１のパイプ体３の凹部１３と第２のパイプ体７の中空突出部１６との間の中心軸方向の接触寸法よりも大きく設定されている。
【００３８】
このように、ボルト８の外周面と第２のパイプ体７の中空突出部１６の内周面との間の突出方向における接触長さを、大きく確保することにより、ボルト８の外周面と第２のパイプ体７の中空突出部１６との間の磨耗を抑制できる。
【００３９】
特に、第１のパイプ体３の内周面と第２のパイプ体７の外周面との間の隙間が小さくしながら、ボルト８の外周面と第２のパイプ体７の中空突出部１６の内周面との間の突出方向における接触長さを大きく確保することにより、それぞれのパイプ部材間の連結状態をより強固なものとすることができる。
【００４０】
また、第１のパイプ体３の下部開口端縁に形成された凹部１３の内側部分から上方に延びた第１のスロット部２２を設けてもよい。この第１のスロット部２２は、上下方向の長さに比べて水平方向の幅が小さな縦長の溝孔である。凹部１３の上部中央、具体的には凹部１３である略半円形状の切り欠きの上端縁から上方へ向かって、第１のパイプ体３を水平方向に貫通した円形孔の２つの第１のパイプ孔１２の間を通って、連結ボルト９より上方の高さ位置にまで延びている。第１のスロット部２２の幅寸法は、第１のパイプ体３の凹部１３の水平方向の幅寸法より小さく設定されている。
【００４１】
このように、第１のパイプ体３に第１のスロット部２２を設けることにより、第１のパイプ体３の凹部１３と、第２のパイプ体７の中空突出部１６との間において、組み立て時に必要なわずかなクリアランスを、組み立て後に低減することができる。具体的には、第１のパイプ体３、第２のパイプ体７、および上部取付パイプ部６を連結する場合に、連結ボルト９と、ナット１０とを締め付けると、第１のパイプ体３の第１のスロット部２２の幅寸法が小さくなる。これにより、凹部１３である略半円形状の切り欠き部分において、連結ボルト９の軸方向に対向した端部同士の距離が小さくなる。結果として、第１のパイプ体３の凹部１３の内側部分と、第２のパイプ体７の中空突出部１６の外周面との間のクリアランスを低減できる。
【００４２】
それとともに、連結時に連結ボルト９を締め付けて第１のスロット部２２の幅寸法を小さくすることにより、第１のパイプ体３の内径を小さくすることができ、第１のパイプ体３の内周面と第２のパイプ体７の外周面との間の隙間をより小さくすることができる。
【００４３】
また、第１のパイプ体３において、第１のスロット部２２に対向するように第２のスロット部（図示せず）を設けてもよい。第２のスロット部は、第１のスロット部２２と同様な形状および大きさとしてもよい。第２のスロット部は、第１のパイプ体３の第１のスロット部２２に対向するとともに、第１のパイプ体３の下部開口縁から上方へ向かって、第１のパイプ体３の水平方向に貫通した円形孔の２つの第１のパイプ孔１２の間を通って、連結ボルト９より上方の高さ位置にまで延びている。第２のスロット部の上端の高さ位置、および幅寸法は、第１のスロット部２２と同じとしてもよい。
【００４４】
これにより、第１のパイプ体３、第２のパイプ体７、および上部取付パイプ部６を連結する場合に、連結ボルト９とナット１０とを締め付けると、第１のパイプ体３の第１のスロット部２２および第２のスロット部の幅寸法が小さくなり易くなる。これにより、凹部１３である略半円形状の切り欠きにおいて、連結ボルト９の軸方向に対向した端部同士の距離が容易に小さくなる。結果として、第１のパイプ体３の凹部１３の内側部分と、第２のパイプ体７の中空突出部１６の外周面との間のクリアランスを低減できる。
【００４５】
また、第２のパイプ体７の外周面において、外周面から外方へ突出したリブ２６を設けてもよい。リブ２６の材質は例えばナイロンである。このリブ２６は、第２のパイプ体７の外周面から外方へ突出した突起であり、上下方向へ延びている。また、リブ２６は、第２のパイプ体７の第２のパイプ孔１４の開口縁において上下方向に延びており、開口縁の一部となっている。これにより、第２のパイプ体７自体の強度が向上する。上部取付パイプ部６に第２のパイプ体７を挿入した状態で、第２のパイプ体７を第１のパイプ体３に挿入すると、第２のパイプ体７は、リブ２６の先端（突出方向の先端）が第１のパイプ体３の内周面に接触して、つぶれながら第１のパイプ体３内に挿入される。これにより、第１のパイプ体３の内周面と第２のパイプ体７の外周部分であるリブ２６の先端との間には、隙間がほとんど無くなる。更に、リブ２６はナイロンにて形成されている。羽根５がアンバランスな状態になり、運転時に天井扇風機本体４を大きく揺動させようとする力が発生した場合に、リブ２６が更につぶれることを抑制できる。
【００４６】
仮に、リブ２６をポリプロピレンで形成すると、第２のパイプ体７は、リブ２６の先端がつぶれながら第１のパイプ体３内に挿入できるが、羽根５がアンバランスな状態になり、運転時に天井扇風機本体４を大きく揺動させようとする力が発生した場合に、ナイロンに比べ、リブ２６がつぶれ易く、がたつきが発生することが考えられる。一方、リブ２６をナイロンよりも硬い材質で作ると、第２のパイプ体７を第１のパイプ体３に挿入する場合に、リブ２６の先端がつぶれにくくなり第１のパイプ体３内に入り難くなる。結果として、リブ２６の材質をナイロン、特に、ナイロン６６（登録商標）で形成すると、第１のパイプ体３と第２のパイプ体７との隙間を小さくでき、さらにがたつきを抑制できる。なお、リブ２６を備える第２のパイプ体７全体をナイロンにて形成してもよい。
【００４７】
（実施の形態２）
次に、本発明の実施の形態２にかかる天井扇風機について説明する。図５は、本実施の形態２の天井扇風機の拡大図であり、図６は、本実施の形態２の天井扇風機の分解図である。図５および図６において、図２および図３と同様の構成要素については同一の符号を付し、その詳細な説明は省略する。
【００４８】
図５および図６に示すように、第１のパイプ体３の凹部１３と、第２のパイプ体７の中空突出部１６と、上部取付パイプ部６の上部取付パイプねじ孔１８と、ボルト８とが、それぞれ対向するように２組設けられている。このように中空突出部１６を用いたそれぞれのパイプ部材の相対的な移動を規制する構成が、２組設けられることにより、更に、がたつきを小さくでき、連結部分での異常な磨耗を抑制できる。
【００４９】
（実施の形態３）
次に、本発明の実施の形態３にかかる天井扇風機について説明する。図７は、本実施の形態３の天井扇風機の拡大図であり、図８は、本実施の形態３の天井扇風機の分解図である。図７および図８において、図２および図３と同様の構成要素については同一の符号を付し、その詳細な説明は省略する。
【００５０】
図７および図８に示すように、第２のパイプ体７の外周面には、中空突出部１６の上部から上方に延びるとともに、第１のスロット部２２の内側に嵌るように上方突出部２３が設けられている。上方突出部２３は、中空突出部１６の上端部から上方に延びており、上下方向の長さ寸法に比して水平方向の幅寸法が小さな形状を有している。また、上方突出部２３は、第２のパイプ体７と一体で形成している。上方突出部２３が第１のスロット部２２の内側に位置された状態にて、両者が互いに当接しているか、あるいは僅かなクリアランスが存在するように、上方突出部２３および第１のスロット部２２の幅寸法が設定されている。
【００５１】
これにより、第１のパイプ体３の凹部１３に第２のパイプ体７の中空突出部１６が当接または近接するとともに、中空突出部１６の内周面に上部取付パイプ部６のボルト８の外周面が当接または近接した状態において、更に、第１のパイプ体３の第１のスロット部２２の内側部分に第２のパイプ体７の上方突出部２３が当接または近接する。すなわち、第１のパイプ体３の第１のスロット部２２の内側部分に第２のパイプ体７の上方突出部２３が当接または近接することにより、第１のパイプ体３と第２のパイプ体７との間において、少なくとも羽根５の回転方向への相対的な移動をさらに規制することができる。よって、羽根５がアンバランスな状態になり、運転時に天井扇風機本体を大きく揺動させようとする力が発生した場合にも、それぞれのパイプ部材間のがたつきを小さくでき、連結部分での異常な磨耗を抑制できる。
【００５２】
また、第１のパイプ体３の凹部１３と第１のスロット部２２と、中空突出部１６と、上方突出部２３と、ボルト８とを、それぞれ対向するように、２組設けてもよい。これにより、更に、がたつきを小さくでき、連結部分での異常な磨耗を抑制できる。
【００５３】
（実施の形態４）
次に、本発明の実施の形態４にかかる天井扇風機について説明する。図９は、本実施の形態４の天井扇風機の拡大図であり、図１０は、本実施の形態４の天井扇風機の分解図である。図９および図１０において、図２および図３と同様の構成要素については同一の符号を付し、その詳細な説明は省略する。
【００５４】
図９および図１０に示すように、第１のパイプ体３の下部開口縁には凹部１３が設けられている。第２のパイプ体７の下部開口縁には凹部１３に嵌る中空突出部２４が設けられている。上部取付パイプ部６には、第２のパイプ体７の中空突出部２４に嵌る突起部２５が設けられている。
【００５５】
第２のパイプ体７の下部開口縁に設けられた中空突出部２４は、第２のパイプ体７の外周面より外向きに突出する部分円筒状形状を有している。具体的には、中空突出部２４は、その上方部分を半円筒状としており、その下方部分は第２のパイプ体７の下部開口縁に向かって開放された切り欠き部分とされている。中空突出部２４の中心軸と、水平方向に貫通した第２のパイプ孔部１４の中心軸とは、上方向から見て直交している。
【００５６】
上部取付パイプ部６の外周面における上部には、水平方向に貫通した円形孔の上部取付パイプ孔１７が設けられており、上部取付パイプ部６の外周面における下方には、突起部２５が設けられている。
【００５７】
突起部２５は、上部取付パイプ部６の外周面から水平方向外向きに突出した円柱形状を有する。突起部２５の突出方向（中心軸方向）は、水平方向に貫通した上部取付パイプ孔１７の中心軸方向に対して、上方向から見て直交している。この突起部２５は、上部取付パイプ部６に固定されていればよく、上部取付パイプ部６と一体的に形成されている場合、または上部取付パイプ部６と別部材として形成されている場合のいずれであってもよい。
【００５８】
このような構成において、第１のパイプ体３、第２のパイプ体７、および上部取付パイプ部６を、連結ボルト９およびナット１０によって連結し、組み立てる手順について説明する。
【００５９】
まず、第１のパイプ体３内に下方側より第２のパイプ体７を挿入した状態で、上部取付パイプ部６を下方側より第２のパイプ体７内に挿入する。次に、第１のパイプ体３、第２のパイプ体７、および上部取付パイプ部６が重なる部分において、それぞれの孔１２、１４、１７を貫通して連結ボルト９を挿入し、連結ボルト９の第１のパイプ体３からの突出部分にはナット１０を装着する。
【００６０】
これにより、第１のパイプ体３の凹部１３の内側部分は、第２のパイプ体７の半円筒状の中空突出部２４の外周面に当接または近接する。更に、上部取付パイプ部６の突起部２５の外周面は、第２のパイプ体７の中空突出部２４の内周面に当接または近接する。
【００６１】
そのため、羽根５がアンバランスな状態になり、運転時に天井扇風機本体を大きく揺動させようとする力が発生した場合にも、連結ボルト９およびナット１０の連結に加えて、第１のパイプ体３、第２のパイプ体７、および上部取付パイプ部６が、半円筒状の中空突出部２４によっても少なくとも羽根５の回転方向への相対移動を規制される。よって、それぞれのパイプ部材間のがたつきを小さくでき、連結部分での異常な磨耗を抑制できる。
【００６２】
なお、上述の実施の形態の説明では、例えば、図２に示すように第１のパイプ体３において、凹部１３の上端部分より上方に延びる第１のスロット部２２が形成される場合について説明したが、このような場合についてのみに限られない。例えば、第１のパイプ体３において、第１のスロット部２２が設けられず、凹部１３のみが設けられるような場合であってもよい。
【００６３】
また、図２に示す形態では、第１のスロット部２２の上端に接続されるように円形孔が形成されているが、このような円形孔が形成されない場合であってもよい。このような円形孔を設ける場合には、第１のパイプ孔１２より離間させて円形孔を配置することで、第１のパイプ孔１２の強度低下を抑制できる。
【００６４】
また、上述の実施の形態では、中空突出部が円筒形状または半円筒形状である場合を例としたが、中空突出部の形態は、このような形態についてのみ限定されない。例えば、中空突出部は、楕円筒形状としてもよく、半円筒よりも小さな円周を有する部分円筒形状、あるいは半円筒よりも大きな円周を有する部分円筒形状としてもよい。
【００６５】
また、第１のパイプ体３の下部開口縁に形成される凹部１３は、略半円形状の切り欠きとして形成される場合に限られない。凹部１３は、中空突出部の外周部分に当接または近接する部分が、中空突出部の外周形状に倣った形状とされていればよく、中空突出部の形状に合わせて様々な形態を採り得る。
【００６６】
なお、上記様々な実施の形態のうちの任意の実施の形態を適宜組み合わせることにより、それぞれの有する効果を奏するようにすることができる。
【産業上の利用可能性】
【００６７】
本発明にかかる天井扇風機は、天井扇風機の本体を吊り下げるパイプ体の連結部分で、異常な磨耗を抑制できるものであり、家庭用や事務所用などの、天井扇風機として活用が期待されるものである。
【符号の説明】
【００６８】
１  天井
２  吊り下げ体
３  第１のパイプ体
４  本体
５  羽根
６  上部取付パイプ部
７  第２のパイプ体
８  ボルト
９  連結ボルト
１０  ナット
１１  吊下げ部
１２  第１のパイプ孔
１３  凹部
１４  第２のパイプ孔
１５  開口
１６  中空突出部（円筒状）
１７  上部取付パイプ孔
１８  上部取付パイプねじ孔
１９  頭部
２０  円柱部
２１  ねじ部
２２  第１のスロット部
２３  上方突出部
２４  中空突出部（半円筒状）
２５  突起部
２６  リブ
【図１】
2015190422.tif 000003
【図２】
2015190422.tif 000004
【図３】
2015190422.tif 000005
【図４】
2015190422.tif 000006
【図５】
2015190422.tif 000007
【図６】
2015190422.tif 000008
【図７】
2015190422.tif 000009
【図８】
2015190422.tif 000010
【図９】
2015190422.tif 000011
【図１０】
2015190422.tif 000012